(57)【要約】【課題】便器本体の複数の洗浄用孔からの脱臭を確実に行えるとともに、水の吸込みを確実に阻止して装置の故障等を防止し、実用性が高い便器の脱臭装置を提供する。【解決手段】弁機構３２により通水路３０を介して水タンク２０内と連通する複数の洗浄用孔２８を備えた便器本体１２と、一端側が通水路３０に連通し他端側が水タンク２０の貯留水Ｗ内から水タンク２０外に延設された排気管であり、通水路３０に連通し弁機構３２の開弁動作で水タンク２０内から洗浄用孔２８を介して便器本体１２内壁に貯留水Ｗを流出させる排気管１４と、排気管１４に連通して便器本体１２内の空気を吸引脱臭する吸引駆動装置１６と、排気管１４に介設され便器本体１２側から吸引駆動装置１６側への空気の流通を確保しつつ水の流通は遮断する選択流通弁装置１８と、を備えたことを特徴とする便器の脱臭装置１０から構成される。【選択図】図１
0003129164.tif 000002
【実用新案登録請求の範囲】
【請求項１】
弁機構により通水路を介して水タンク内と連通する複数の洗浄用孔を備えた便器本体と、
一端側が通水路に連通し他端側が水タンクの貯留水内から水タンク外に延設された排気管であり、通水路に連通し弁機構の開弁動作で水タンク内から洗浄用孔を介して便器本体内壁に貯留水を流出させる排気管と、
排気管に連通して便器本体内の空気を吸引脱臭する吸引駆動装置と、
排気管に介設され便器本体側から吸引駆動装置側への空気の流通を確保しつつ水の流通は遮断する選択流通弁装置と、を備えたことを特徴とする便器の脱臭装置。
【請求項２】
選択流通弁装置は、上下に排気管との通路を形成するように排気管に介設された弁箱と、弁箱内に配置され縦方向に移動自在に設けられた浮力遊動弁体と、を含むことを特徴とする請求項１記載の便器の脱臭装置。
【請求項３】
吸引駆動装置側からの負圧吸引力によっては閉弁動作しない状態で、便器本体側から吸引駆動装置側への空気流路が形成されるように弁箱内の空気通流位置に浮力遊動弁体が位置されることを特徴とする請求項２記載の便器の脱臭装置。
【請求項４】
吸引駆動装置側からの負圧吸引力によっては閉弁動作しない状態で、空気流路を介して便器本体側から吸引駆動装置側へ空気を通流させる際に風圧による浮力遊動弁体の遊動を防止する遊動防止装置が設けられていることを特徴とする請求項２または３記載の便器の脱臭装置。
【請求項５】
遊動防止装置は、浮力遊動弁体と弁箱あるいは弁箱との接続部分にそれぞれ設けられ、浮力遊動弁体の水に対する浮力より小さな磁力吸着力で位置保持させる磁力吸着部材を有することを特徴とする請求項４記載の便器の脱臭装置。
【請求項６】
水タンクの貯留水内の排気管部分であって、選択流通弁装置が取り付けられた位置よりも便器本体側から分岐して立ち上がり、所定水位以上に水タンク内の貯留水の水位が高くなったときに排気管を介して便器本体側に排水させるオーバフロー管が設けられていることを特徴とする請求項１ないし５のいずれかに記載の便器の脱臭装置。
【請求項７】
フラッシュ弁を介設させて便器本体に洗浄水を供給する洗浄水供給管と、
フラッシュ弁の開弁操作により便器本体内壁の上部複数箇所から便器本体内壁に向けて洗浄用水を供給する洗浄用孔を有する便器本体と、
便器本体に穿孔されて洗浄水供給管と便器本体側とを連通させる通水管と、
通水管よりも上流側でフラッシュ弁よりも下流側において分岐して連通接続された排気管と、
排気管の延長側に取り付けられた便器内脱臭用の吸引駆動装置と、
排気管に介設され便器本体側から吸引駆動装置側への空気の流通を確保しつつ同じ方向への水の流通は遮断する選択流通弁装置と、を備えたことを特徴とする便器の脱臭装置。
【請求項８】
選択流通弁装置は、上下に排気管との通路を形成するように排気管に介設された弁箱と、弁箱内に配置され縦方向に移動自在に設けられた浮力遊動弁体と、を含むことを特徴とする請求項７記載の便器の脱臭装置。
【請求項９】
吸引駆動装置側からの負圧吸引力によっては閉弁動作しない状態で、便器本体側から吸引駆動装置側への空気流路が形成されるように弁箱内の空気通流位置に浮力遊動弁体が位置されることを特徴とする請求項８記載の便器の脱臭装置。
【請求項１０】
吸引駆動装置側からの負圧吸引力によっては閉弁動作しない状態で、空気流路を介して便器本体側から吸引駆動装置側へ空気を通流させる際に風圧による浮力遊動弁体の遊動を防止する遊動防止装置が設けられていることを特徴とする請求項８または９記載の便器の脱臭装置。
【請求項１１】
遊動防止装置は、浮力遊動弁体と弁箱あるいは弁箱との接続部分にそれぞれ設けられ、浮力遊動弁体の水に対する浮力より小さな磁力吸着力で位置保持させる磁力吸着部材を有することを特徴とする請求項１０記載の便器の脱臭装置。
【請求項１２】
使用時の便座への着座状態または便器本体への人の近接状態を検出し、電気的に接続した吸引駆動装置を駆動させるセンサ手段を備えたことを特徴とする請求項１ないし１１のいずれかに記載の便器の脱臭装置。
【考案の詳細な説明】
【技術分野】
【０００１】
本考案は、便器内の排便臭を含む空気を脱臭する便器の脱臭装置に関する。
【背景技術】
【０００２】
従来、排便の際に便器内の空気を強制的に吸引しつつ便器外へ排気して脱臭する脱臭装置が提案されている（例えば、特許文献１参照）。特許文献１の水洗便所用脱臭装置は、水槽が設けられた貯水式水洗便所の便器の内側に開口する注水孔から吸気を行うようになっており、便器内に注水を行う注水配管の注水弁より下流側に接続されたオバーフロー管の上端部に、電動ファン等の空気循環手段および脱臭剤を内蔵した本体を吸気管を介して接続されている。そして、本体に取り付けられた人感センサーが人を検出すると空気循環手段が動作し、便器内の空気が便器の注水孔から注水配管、オバーフロー管及び吸気管を通って吸引され、本体で脱臭処理されて室内に排気される。さらに、オバーフロー管と吸気管との連結部には、水槽内のオバーフロー時にその連結部を開放する増水対策弁が介設されたものであった。
【特許文献１】特開平８−２８４２３３号公報
【考案の開示】
【考案が解決しようとする課題】
【０００３】
しかしながら、特許文献１の水洗便所用脱臭装置では、便器内の脱臭を確実に行うために本体の空気循環手段の吸引力をある程度強く設定する必要があるが、例えば、注水時やオバーフロー時にも空気循環手段は動作しているから、注水管又はオバーフロー管内に水が多量に侵入した際に、その空気循環手段の吸引力で水を吸気管から本体まで吸込んでしまう場合があり、電動ファンや制御装置が水に濡れて故障したり脱臭剤の機能が低下したり、或いは吸込んだ水が本体の排気部から外部へ漏れて床が濡れてしまうといった問題が生じていた。一方、水を吸引しないように空気循環手段の吸引力を弱く設定してしまうと便器内を十分に脱臭できないので、実用性に劣るものであった。
【０００４】
本考案は、上記従来の課題に鑑みてなされたものであり、その一つの目的は、便器本体の複数の洗浄用孔からの脱臭を確実に行えるとともに、水の吸込みを確実に阻止して装置の故障等を防止し、実用性が高い便器の脱臭装置を提供することにある。
【課題を解決するための手段】
【０００５】
上記課題を解決するために本考案は、弁機構３２により通水路３０を介して水タンク２０内と連通する複数の洗浄用孔２８を備えた便器本体１２と、一端側が通水路３０に連通し他端側が水タンク２０の貯留水Ｗ内から水タンク２０外に延設された排気管であり、通水路３０に連通し弁機構３２の開弁動作で水タンク２０内から洗浄用孔２８を介して便器本体１２内壁に貯留水Ｗを流出させる排気管１４と、排気管１４に連通して便器本体１２内の空気を吸引脱臭する吸引駆動装置１６と、排気管１４に介設され便器本体１２側から吸引駆動装置１６側への空気の流通を確保しつつ水の流通は遮断する選択流通弁装置１８と、を備えたことを特徴とする便器の脱臭装置１０から構成される。水タンク２０は、例えば、便器本体１２の直上付近に設置させるロータンク式が好適である。吸引駆動装置１６は、トイレ室内や壁内のスペースに設置してもよく、屋外に設置してもよい。また、排気管１４の配管は任意でよく、例えば、壁や床内のスペースに埋め込み状に配管してもよく、壁や床を貫通して屋外まで延設することとしてもよい。
【０００６】
また、選択流通弁装置１８は、貯留水Ｗ内の所定の水面近傍位置において上下に排気管１４との通路を形成するように排気管１４に介設された弁箱５８と、弁箱５８内に配置され縦方向に移動自在に設けられた浮力遊動弁体６０と、を含むこととしてもよい。浮力遊動弁体６０は、例えば、プラスチック等の合成樹脂や発泡樹脂等その他任意の浮力素材、浮力構造で設けられていても良い。
【０００７】
また、吸引駆動装置側１６からの負圧吸引力によっては閉弁動作しない状態で、便器本体１２側から吸引駆動装置１６側への空気流路６６が形成されるように弁箱５８内の空気通流位置Ｌに浮力遊動弁体６０が位置されることとしてもよい。
【０００８】
また、吸引駆動装置１６側からの負圧吸引力によっては閉弁動作しない状態で、空気流路６６を介して便器本体１２側から吸引駆動装置１６側へ空気を通流させる際に風圧による浮力遊動弁体６０の遊動を防止する遊動防止装置７０が設けられていることとしてもよい。
【０００９】
また、遊動防止装置７０は、浮力遊動弁体６０と弁箱５８あるいは弁箱５８との接続部分（６２）にそれぞれ設けられ、浮力遊動弁体６０の水に対する浮力より小さな磁力吸着力で位置保持させる磁力吸着部材（６８，６９）を有することとしてもよい。浮力遊動弁体と弁箱あるいは弁箱との接続部分のいずれともに永久磁石を配置してもよく、又は、いずれか一方に永久磁石を用いて、他方を鉄、ニッケル等の素材としてもよい。
【００１０】
また、水タンク２０の貯留水Ｗ内の排気管部分１４ａであって、選択流通弁装置１８が取り付けられた位置よりも便器本体１２側から分岐して立ち上がり、所定水位ＷＬ以上に水タンク２０内の貯留水Ｗの水位が高くなったときに排気管１４ａを介して便器本体１２側に排水させるオーバフロー管７２が設けられていることとしてもよい。
【００１１】
さらに、本考案は、フラッシュ弁７４を介設させて便器本体１２に洗浄水を供給する洗浄水供給管７６と、フラッシュ弁７４の開弁操作により便器本体１２内壁の上部複数箇所から便器本体内壁に向けて洗浄用水を供給する洗浄用孔２８を有する便器本体１２と、便器本体１２に穿孔されて洗浄水供給管７６と便器本体１２側とを連通させる通水管７８と、通水管７８よりも上流側でフラッシュ弁７４よりも下流側において分岐して連通接続された排気管１４と、排気管１４の延長側に取り付けられた便器内脱臭用の吸引駆動装置１６と、排気管１４に介設され便器本体１２側から吸引駆動装置１６側への空気の流通を確保しつつ同じ方向への水の流通は遮断する選択流通弁装置１８と、を備えたことを特徴とする便器の脱臭装置１０ａから構成される。フラッシュバルブ式の洋式トイレにも便器の脱臭装置１０ａを好適に適用できる。
【００１２】
その際、選択流通弁装置１８は、上下に排気管１４との通路を形成するように排気管１４に介設された弁箱５８と、弁箱５８内に配置され縦方向に移動自在に設けられた浮力遊動弁体６０と、を含むこととしてもよい。
【００１３】
また、吸引駆動装置側１６からの負圧吸引力によっては閉弁動作しない状態で、便器本体１２側から吸引駆動装置１６側への空気流路６６が形成されるように弁箱５８内の空気通流位置Ｌに浮力遊動弁体６０が位置されることとしてもよい。
【００１４】
また、吸引駆動装置１６側からの負圧吸引力によっては閉弁動作しない状態で、空気流路６６を介して便器本体１２側から吸引駆動装置１６側へ空気を通流させる際に風圧による浮力遊動弁体６０の遊動を防止する遊動防止装置７０が設けられていることとしてもよい。
【００１５】
また、遊動防止装置７０は、浮力遊動弁体６０と弁箱５８あるいは弁箱５８との接続部分（６２）にそれぞれ設けられ、浮力遊動弁体６０の水に対する浮力より小さな磁力吸着力で位置保持させる磁力吸着部材（６８，６９）を有することとしてもよい。
【００１６】
また、使用時の便座２２への着座状態または便器本体１２への人の近接状態を検出し、電気的に接続した吸引駆動装置１６を駆動させるセンサ手段５４を備えたこととしてもよい。吸引駆動装置１６は手動でオンオフ操作しても良いが、センサ手段５４により自動化を図ることができる。
【考案の効果】
【００１７】
本考案の便器の脱臭装置によれば、弁機構により通水路を介して水タンク内と連通する複数の洗浄用孔を備えた便器本体と、一端側が通水路に連通し他端側が水タンクの貯留水内から水タンク外に延設された排気管であり、通水路に連通し弁機構の開弁動作で水タンク内から洗浄用孔を介して便器本体内壁に貯留水を流出させる排気管と、排気管に連通して便器本体内の空気を吸引脱臭する吸引駆動装置と、排気管に介設され便器本体側から吸引駆動装置側への空気の流通を確保しつつ水の流通は遮断する選択流通弁装置と、を備えたことから、比較的強い吸引力を作用させて便器本体内の空気を吸引して確実に脱臭することができるとともに、その強い吸引力による排気管からの水の吸引に対しては選択流通弁装置により吸引駆動装置側への通流を遮断することができるので、吸引駆動装置が水に濡れることによる故障を確実に防止できる。すなわち、故障が発生しにくく確実な便器本体の脱臭を行える実用性が高い便器の脱臭装置を実現しうる。
【００１８】
また、選択流通弁装置は、上下に排気管との通路を形成するように排気管に介設された弁箱と、弁箱内に配置され縦方向に移動自在に設けられた浮力遊動弁体と、を含むことから、浮力遊動弁体の水に対する浮力を利用しているので電気的な弁制御等の複雑な構成を一切不要とし、選択流通弁装置を簡単な構造で低コストで製造できるとともに、メンテナンスもほとんど不要である上、メンテナンスを簡単に行なえる。
【００１９】
また、吸引駆動装置側からの負圧吸引力によっては閉弁動作しない状態で、便器本体側から吸引駆動装置側への空気流路が形成されるように弁箱内の空気通流位置に浮力遊動弁体が位置されることから、空気流路を確実に確保して排気管から吸引駆動装置による空気の吸引を保持し、便器本体の脱臭を確実に行うことができる。
【００２０】
また、吸引駆動装置側からの負圧吸引力によっては閉弁動作しない状態で、空気流路を介して便器本体側から吸引駆動装置側へ空気を通流させる際に風圧による浮力遊動弁体の遊動を防止する遊動防止装置が設けられていることから、比較的軽量に設けられる浮力遊動弁体が風圧による遊動で弁箱内壁に衝突して発生する騒音を良好に防ぐことができる。
【００２１】
また、遊動防止装置は、浮力遊動弁体と弁箱あるいは弁箱との接続部分にそれぞれ設けられ、浮力遊動弁体の水に対する浮力より小さな磁力吸着力で位置保持させる磁力吸着部材を有することから、遊動防止装置を簡単な構成で具体的に実現できるとともに、浮力遊動弁体の水の浮力による閉弁動作を妨げることがなく確実に作動させて、空気の流通及び水の遮断を含む選択流通弁装置の機能を有効に機能させることができる。
【００２２】
また、水タンクの貯留水内の排気管部分であって、選択流通弁装置が取り付けられた位置よりも便器本体側から分岐して立ち上がり、所定水位以上に水タンク内の貯留水の水位が高くなったときに排気管を介して便器本体側に排水させるオーバフロー管が設けられていることから、上記のような脱臭装置を設ける構成であっても、水タンク内の貯留水が所定水位を超えてオーバフローする際には、オーバフロー水を便器本体に排水させることができ、水が水タンク外に溢れて室内を濡らすのを良好に防止できる。さらに、オーバフロー管は選択流通弁装置が取り付けられた位置よりも便器本体側に設けられているので、オーバフロー管によるオーバフロー水の排水の吸引駆動装置側への通流は選択流通弁装置を介して遮断されることとなり、故障の発生を確実に防止することができる。
【００２３】
さらに、本考案の便器の脱臭装置によれば、フラッシュ弁を介設させて便器本体に洗浄水を供給する洗浄水供給管と、フラッシュ弁の開弁操作により便器本体内壁の上部複数箇所から便器本体内壁に向けて洗浄用水を供給する洗浄用孔を有する便器本体と、便器本体に穿孔されて洗浄水供給管と便器本体側とを連通させる通水管と、通水管よりも上流側でフラッシュ弁よりも下流側において分岐して連通接続された排気管と、排気管の延長側に取り付けられた便器内脱臭用の吸引駆動装置と、使用時の便座への着座状態または便器本体への人の近接状態を検出し、電気的に接続した吸引駆動装置を駆動させるセンサ手段と、排気管に介設され便器本体側から吸引駆動装置側への空気の流通を確保しつつ同じ方向への水の流通は遮断する選択流通弁装置と、を備えたことから、フラッシュバルブ式の洋式トイレであっても、比較的強い吸引力を作用させて便器本体内の空気を吸引して確実に脱臭することができるとともに、その強い吸引力による排気管からの水の吸引に対しては選択流通弁装置により吸引駆動装置側への通流を遮断することができるので、吸引駆動装置が水に濡れることによる故障を確実に防止できる。すなわち、故障が発生しにくく確実な便器本体の脱臭を行える実用性が高い便器の脱臭装置を実現しうる。
【００２４】
また、使用時の便座への着座状態または便器本体への人の近接状態を検出し、電気的に接続した吸引駆動装置を駆動させるセンサ手段を備えたことから、センサ手段で使用時に自動的に吸引駆動装置を作動、停止させるので手動操作を必要とせず利便性が高い。
【考案を実施するための最良の形態】
【００２５】
以下、添付図面を参照しつつ本考案の便器の脱臭装置の実施の形態について説明する。本考案の便器の脱臭装置は、水洗式の便器に設けられるものであり、例えば、排便中等に便器本体に設けられる複数の洗浄用孔を介して空気を吸引して脱臭するものである。図１ないし図６は、本考案の便器の脱臭装置の一実施形態を示している。本実施形態において、便器の脱臭装置１０は、図１、図２、図３に示すように、複数の洗浄用孔を備えた便器本体１２と、排気管１４と、吸引駆動装置１６と、選択流通弁装置１８と、を含む。
【００２６】
本実施形態では、便器本体１２は、図１、図２、図３に示すように例えば、腰掛けタイプの洋式便器であり、便器本体１２には、便座２２と便蓋２４が取り付けられている。便器本体１２に隣接して洗浄水となる貯留水Ｗを貯留した水タンク２０が設置されている。便器本体１２の外周縁部は中空構造となって縁水路２６を構成しており、その縁水路２６の下部側に便器本体内部に開口した複数の洗浄用孔２８が設けられている。便器本体１２の洗浄用孔２８は、縁水路２６に連通接続される通水路３０を介して水タンク２０の貯留水Ｗを貯留する内部空間と接続されている。さらに、通水路３０の水タンク２０内との接続側には弁機構３２が設置され、開弁−閉弁動作の切り替えで通水路３０と水タンク２０との内部を連通−非連通状態を切り替える。本実施形態では、通水路３０に排気管１４の一端側と連通して略Ｌ字状に接続されており、これらの通水路３０と排気管１４との接続部分に弁機構３２が設けられている。弁機構３２は、通水路へ連通する吐水開口３４と、該吐水開口３４を閉弁する吐水弁体３６と、吐水弁体３６の開弁動作を行わせるレバー３８と、を含む。吐水弁体３６とレバー３８とは、レバー３８の水タンク２０内に挿入された連係杆４０の先端側に接続されたチェーン４２を介して接続されている。レバー３８の回動操作でチェーン４２を介して吐水弁体３６が強制的に移動させられて吐水開口３４を開弁させ、図１上、一点鎖線矢印ＷＦに示すように、水タンク２０内の貯留水Ｗが通水路３０内に流出し、便器本体１２の外周縁部の縁水路２６内に流れ込んで複数の洗浄用孔２８を介して便器本体１２内壁に流出される。水タンク内の貯留水Ｗが流出すると、再び吐水弁体３６が吐水開口３４を閉鎖して閉弁する。水タンク２０の上部側には、水タンク内への給水装置４４が設けられている。給水装置４４は、水道管４６と、水道管４６を開閉する給水弁部４８と、給水弁部４８に連係されつつ水に浮くフロート体５０と、給水弁部４８を介設するように水道管４６と接続された給水管５２を含む。弁機構３２の開弁動作により、水タンク２０内の貯留水Ｗが流出して水位が下がると、フロート体５０が下降し、給水弁部４６を開弁して水道管４６から水タンク内から上に突出された逆Ｕ字状の給水管５２の先端の流出口を介して水タンク内に水が供給される。水タンク２０内に所定の水位まで水が貯留されてフロート体５０が上昇すると給水弁部４６を閉弁して水道管４６からの給水が停止される。
【００２７】
排気管１４は、図１に示すように、一端側を通水路３０に連通し他端側を水タンク２０の貯留水Ｗ内から水タンク外に延設されている。本実施形態では、排気管１４の一端側は、水タンク内部で通水路３０に連通し、上述のように通水路３０との連通接続部分に弁機構３２が設けられている。排気管１４は、弁機構３２の開弁動作で水タンク２０内から洗浄用孔２８を介して便器本体内壁に貯留水Ｗを流出させる。本実施形態では、排気管１４は、水タンク２０内を縦方向に立ち上がって配管されつつ、その中間位置に選択流通弁装置１８が介設され、さらに延長部分を貯留水Ｗの水面から露出させつつＬ字状に曲成して水タンク２０の筐体側面を貫通して水タンク外の室内Ｒ空間に引き出されている。排気管１４の他端側はさらに壁Ｐを貫通して室外Ｔまで延設されており、その端部側に吸引駆動装置１６が接続されている。
【００２８】
吸引駆動装置１６は、排気管１４に連通して便器本体内の空気を吸引脱臭する吸引駆動手段である。図１に示すように、吸引駆動装置１６は、例えば、室外Ｔに設置された電磁式又はロータリ式のポンプ装置等からなり図示しない電源等に接続されており、作動時には負圧吸引力を生じさせて接続されている排気管１４から空気を吸引しつつ、吸引した空気を他方側から排出する。吸引駆動装置１６の負圧吸引力は比較的強く設定されており、図１上、実線矢印ＡＦに示すように、便器本体１２の洗浄用孔２８から排気管１４を介して悪臭成分を含む空気を吸引して確実に脱臭を行えるようになっている。なお、本実施形態では、吸引駆動装置１６からの排気管１４ｃは、例えば、便器本体１２の排出口と下水道と接続している下水管５６に接続されており、悪臭を含む空気を外気に直接排気しないようになっている。本実施形態では、吸引駆動装置１６は、便座２２の裏側に取り付けられたセンサー５４を介して動作が制御されている。吸引駆動装置１６は、例えば、便座２２に人が着座した際にセンサー５４が人の体重による圧力等を感知して吸引駆動装置１６に作動信号を送って負圧吸引力を作動させ、人が便座２２から立つと停止信号を送って（又は作動信号を停止して）負圧吸引力を停止するようになっている。なお、吸引駆動装置１６を室内Ｒに配置してもよい。また、吸引駆動装置１６からの排気管１４ｃは壁Ｐ内に配管してもよい。また、便所に浄化槽を備えた設備がある場合には、吸引駆動装置１６を浄化槽ブロワ装置と兼用させて、浄化槽ブロワ装置に排気管を接続するようにしてもよい。また、センサ５４は、便座２２で着座状態を検知する態様に限らず、例えば、便器本体１２への人の近接状態を検出して吸引駆動装置１６を駆動させる赤外線センサ等の人感知センサを水タンクや便器本体に設置する等してもよい。
【００２９】
選択流通弁装置１８は、排気管１４に介設され便器本体１２側から吸引駆動装置１６側への空気の流通を確保しつつ水の流通は遮断する装置である。これにより、例えば、弁機構３２の開弁動作時や水タンク内のオーバフロー時等に排気管１４内に水が侵入する際に、吸引駆動装置１６の吸引力により排気管１４に水が吸引されても吸引駆動装置１６側へ通流するのを遮断し、吸引駆動装置１６が水に濡れて故障するのを有効に防止できる。本実施形態では、選択流通弁装置１８は、図４、図５に示すように、水タンク２０内の貯留水Ｗ内の水没位置において上下に排気管１４との通路を形成するように該排気管１４に介設された弁箱５８と、弁箱５８内に配置され縦方向に移動自在に設けられた浮力遊動弁体６０と、を含む。吸引駆動装置１６の負圧吸引力の作動の際には、通常は該負圧吸引力によっては閉弁動作しない状態で便器本体１２側から吸引駆動装置１６側への空気流路６６を形成するように浮力遊動弁体６０は弁箱５８内の下方寄りの空気通流位置Ｌに配置されており（図４参照）、弁箱５８内に水が侵入した際には浮力遊動弁体６０が弁箱５８内に貯留した水に対する浮力により浮上して排気管１４ｂとの連通口を閉鎖する閉弁位置Ｕに移動して吸引駆動装置１６側の排気管１４ｂへの水の通流を遮断する（図５参照）。なお、選択流通弁装置１８は、例えば、既設の水洗便器用の水タンクのオーバフロー管の一部を便器側排気管１４ａとして利用して後付け的に取り付けることとしても良い。
【００３０】
図４、図５、図６に示すように、弁箱５８は、例えば、排気管１４よりも内径の大きな断面円形の中空管状部材からなり、下方側に通水路３０との連通側すなわち便器本体１２側の便器側排気管１４ａが、上方側に吸引駆動装置１６との接続側の吸引駆動側排気管１４ｂが、それぞれ内部連通して接続されて、排気管１４との接続部分以外を閉鎖している。本実施形態では、弁箱５８は、上端部側が吸引駆動側排気管１４ｂ側に向けてテーパ状に小さく設けられており、浸水時に浮力遊動弁体６０が吸引駆動側排気管１４ｂの連通口を閉鎖する閉弁位置Ｕに確実に誘導されるようになっている。弁箱５８内部の下部寄り中間位置には、浮力遊動弁体６０を弁箱内空中位置で支持する台部６２が配置されている。台部６２は、図６に示すように、例えば、円盤状に形成されてその周辺部外側と弁箱５８の内壁との間に空気流路となる空気流路間隙６４を形成しつつ、一部分を固定片６２ａとして弁箱５８内壁側へ突出させて片支持状に弁箱５８内壁に固定されている。この台部６２は、浮力遊動弁体６０が重力落下して便器側排気管１４ｂとの連通口を閉鎖するのを防止して空気流路６６を保持させる支持台であるとともに、台部６２内部には永久磁石６８が内蔵されており後述の遊動防止装置７０の一部を構成している。
【００３１】
浮力遊動弁体６０は、本実施形態では、例えば、遮水性軽量素材で、排気管１４ｂの内径よりも大きな径で、かつ弁箱５８の内径よりは小さな径の中空球体で設けられている。すなわち、浮力遊動弁体６０は、吸引駆動側排気管１４ｂの連通口を閉鎖しうる大きさであって、該浮力遊動弁体６０と弁箱５８内壁との間に空気流路６６が形成される大きさで設けられている。浮力遊動弁体６０の内部偏心位置には円板状の永久磁石６９が内蔵されており、台部６２の永久磁石６８とともに遊動防止装置７０を構成している。
【００３２】
遊動防止装置７０は、吸引駆動装置１６側からの負圧吸引力によっては浮力遊動弁体が排気管１４を閉弁動作しない状態で、空気流路６６を介して便器本体１２側から吸引駆動装置１６側へ空気を通流させる際に負圧吸引力の風圧により浮力遊動弁体６０が遊動するのを防止する。浮力遊動弁体６０は、負圧吸引力によって上昇しないまでも比較的軽量であるため、弁箱５８の台部６２上に単に載置させておくだけでは風圧により振動するように弁箱５８内を遊動しうるが、浮力遊動弁体６０の弁箱５８内壁への衝突音が発生し、排気管から便器本体或いは水タンク内で共鳴して大きな騒音を発生する。誘導防止装置７０を設けることにより浮力遊動弁体６０の遊動を防止して、騒音の発生を良好に防ぐことができるとともに、吸引駆動装置１６による安定した吸引力を得ることができる。本実施形態では、上記のように浮力遊動弁体６０と、弁箱５８の台部６２と、にそれぞれ設けられ互い作用する磁力吸着力で位置保持させる永久磁石６８，６９を有している。これらの永久磁石６８，６９の磁力吸着力は、浮力遊動弁体６０の水に対する浮力よりは、小さな力となるように設定されている。これにより、浮力遊動弁体６０の水の浮力による閉弁動作を妨げることなく、確実に装置の遮水機能を作用させるようになっている。また、本実施形態では、永久磁石による吸着力により、浮力遊動弁体６０が吸引駆動装置による負圧吸引力で閉弁動作しないような力を補助的に及ぼしている。なお、弁箱の側壁に永久磁石等を配置させて浮力遊動弁体６０を弁箱内壁に吸着させることとしてもよい。
【００３３】
図１、図３に示すように、便座２２の裏側には、便座２２と便器本体１２の縁部上面側との隙間を塞ぐ封鎖部材２５が取り付けられている。封鎖部材２５は、例えば、スキマテープ等のクッション性があるスポンジ状のゴム素材からなり、便座２２を倒した時に便器本体１２の縁部上面側に密着して隙間を閉鎖する。これにより、便座２２と便器本体１２の隙間から内部の悪臭を含む空気が外部へ漏れるのを防止して、洗浄用孔２８から確実に空気の吸引を行わせて良好に脱臭できる。
【００３４】
図１に示すように、水タンク２０の貯留水Ｗ内の排気管１４ａ部分には、該排気管１４から分岐して立ち上がったオーバフロー管７２が設けられている。オーバフロー管７２は、水タンク２０内の貯留水Ｗの水位が所定水位ＷＬ以上に高くなったとき、すなわちオーバフローの際に、排気管１４を介して便器本体１２側に排水させる。オーバフロー管７２は、排気管１４の選択流通弁装置１８が取り付けられた位置よりも便器本体１２側から分岐されて接続されている。これにより、オーバフロー管７２によるオーバフロー水が排気管内に流出しても、吸引駆動装置１６側には選択流通弁装置１８が設置されることとなり、吸引駆動装置１６側に水が通流されるのを防止できる構成となっている。本実施形態では、オーバフロー管７２は、上部側は逆Ｕ字状に曲成させて貯留水Ｗの所定水位ＷＬよりも上方に突出するように設けられつつ、該管の開口先端７２ａを水没させている。オーバフロー管７２は、排気管１４に連通しているので、常時は便器本体側から洗浄用孔２８、排気管１４を介して悪臭成分を含む空気が通流しうることとなるが、開口先端が水没された封水構成となっているので、該悪臭成分を含む空気が水タンク内に流れるのを防止して室内Ｒに出るのを防止する。一方、貯留水Ｗの水位が上がりオーバフロー管７２のＵ字状の曲成部分よりも水位が上昇すると、該オーバフロー管内を通って排気管から通水路３０、洗浄用孔２８を通って便器本体１２側の内部に流出させる。
【００３５】
次に、本実施形態に係る便器の脱臭装置１０の作用について説明する。人が便所内に入り、便蓋２４を開けて便座２２に着座すると、人の体重により便座２２の裏側に設けられたセンサー５４が着座状態を感知して室外Ｔに配置された吸引駆動装置１６が作動する。吸引駆動装置１６の負圧吸引力により、図１上、矢印ＡＦに示すように、便器本体１２に外周縁部に設けられた複数の洗浄用孔２８から連通された通水路３０、排気管１４を介して便器本体１２内の空気を吸引して脱臭する。この際、水タンク内に設けられている選択流通弁装置１８では、図４に示すように、弁箱５８内で永久磁石６８，６９を介して浮力遊動弁体６０が弁箱の台部５０上で所定位置に吸着配置されており、負圧吸引力による浮力遊動弁体の閉弁動作をさせないとともに風圧による遊動を防止した状態で、便器本体側から吸引駆動装置側への空気流路６６を形成させて、良好に空気の吸引が行われる。排便後に便座２２から立ち上がるとセンサー５４からの信号により吸引駆動装置１６を停止させる。一方、例えば、着座した状態での、レバー３８の操作に連係した弁機構３２の開弁動作（水洗操作）やオーバフロー等で吸引駆動装置１６の負圧吸引力の作動時に排気管１４内に水が侵入した際には、吸引駆動装置１６の強い負圧吸引力により便器側排気管１４ａから弁箱５８内部に水が吸込まれる。この際、図５に示すように、弁箱５８内にある一定の水が貯留されると、浮力遊動弁体６０がその浮力により磁石６８，６９の磁力吸着力を離脱して水面上に浮上し、吸引駆動側排気管１４ｂの連通口を閉鎖する閉弁位置Ｕに移動して、吸引駆動装置１６側への水の流通を遮断する。排気管１４内に侵入した水が通水路３０から洗浄用孔２８を介して便器本体内に流出されると浮力遊動弁体６０は重力により弁箱５８内を落下して、図４に示すように、浮力遊動弁体６０は再び空気通流位置Ｌに位置するとともに、永久磁石６８，６９による磁力吸着力により遊動が防止される状態となる。この際、浮力遊動弁体６０は球体でかつ偏心位置に永久磁石６９が配置されているので、起き上がりこぼしのようにスムーズに永久磁石６９側を下方とするように動作して台部６２側に磁力吸着される。このようにして、常時は確実に脱臭を行えるとともに、水の誤吸引により故障が生じるのを良好に防止でき、実用性の高い便器の脱臭装置を実現しうる。
【００３６】
次に、図７を参照しつつ本考案の便器の脱臭装置の他の実施形態を説明するが、上記実施形態と同一部材には同一符号を付しその詳細な説明を省略する。本実施形態では、フラッシュバルブ式の洋式トイレに脱臭装置を適用した形態である。図７に示すように、本実施形態に係る便器の脱臭装置１０は、フラッシュバルブ７４を介設させて便器本体１２に洗浄水を供給する洗浄水供給管７６と、フラッシュ弁７４の開弁操作により便器本体１２内壁の上部複数箇所から便器本体１２内壁に向けて洗浄用水ＷＦを供給する洗浄用孔２８を有する便器本体１２と、便器本体１２に穿孔されて洗浄水供給管７６と便器本体１２側とを連通させる通水管７８と、通水管７８よりも上流側でフラッシュバルブ７４よりも下流側において洗浄水供給管７６から分岐して連通接続された排気管１４と、排気管１４の延長側に取り付けられた便器内脱臭用の吸引駆動装置１６と、使用時の便座２２への着座状態を検出し、電気的に接続した吸引駆動装置１６を駆動させるセンサ５４と、排気管１４に介設され便器本体１２側から吸引駆動装置１６側への空気の流通を確保しつつ同じ方向への水の流通は遮断する選択流通弁装置１８と、を備えている。フラッシュバルブ７４は、レバー８０の操作により開弁して一定時間に一定の水量の洗浄水を供給して自動的に閉止するフラッシュ弁である。洗浄水供給管７６は、フラッシュバルブ７４の上流側の管部分７６ａが水道管に接続されており、フラッシュバルブ７４の下流側の管部分７６ｂで通水管７８と連通されている。通水管７８は便器本体１２の縁水路２６に連通されて洗浄用孔２８と連通している。さらに、洗浄水供給管７６の下流側管部分７６ｂの中間位置に排気管１４の一端側が連通接続されており、吸引駆動装置１６を作動させるとその負圧吸引により便器本体の洗浄用孔２８から通水路７８、排気管１４を介して便器本体の空気を吸引して脱臭できる。本実施形態では、吸引駆動装置１６は室内Ｒに配置されており、該吸引駆動装置１６から排気させる排気管１４ｃは壁Ｐの内に配管されて延設され下水管５６に連通されている。なお、吸引駆動装置１６は上記実施形態同様に室外１６に配置してもよい。本実施形態では選択流通弁装置１８の構成は上記実施形態のものと同一の構成である。本実施形態に係る便器の脱臭装置１０ａでも、排便の際に吸引駆動装置１６を駆動させて便器本体１２の洗浄用孔２８から排気管１４を介して確実に脱臭を行えるとともに、例えば、フラッシュバルブを開弁操作して洗浄水を便器本体１２に流出する際に、排気管１４から水を吸引駆動装置１６側に吸引して故障が発生するといったことを良好に防止でき、実用性の高い便器の脱臭装置を実現しうる等の上記実施形態同様の作用効果を奏しうる。
【００３７】
以上説明した本考案の便器の脱臭装置は、上記した実施形態のみの構成に限定されるものではなく、実用新案登録請求の範囲に記載した本考案の本質を逸脱しない範囲において、任意の改変を行ってもよい。
【産業上の利用可能性】
【００３８】
本考案の便器の脱臭装置は、既設又は新設の水洗式便器に好適に適用される。
【図面の簡単な説明】
【００３９】
【図１】本考案の実施形態に係る便器の脱臭装置の内部機構の概略を示す要部断面説明図である。
【図２】図１の便器の脱臭装置の外観を示す概略斜視図である。
【図３】便座を上げた状態での便器本体の概略説明斜視図である。
【図４】選択流通弁装置の要部断面説明図である。
【図５】図４の選択流通弁装置の作用説明図である。
【図６】図４のＡ−Ａ線位置での断面説明図である。
【図７】本考案の他の実施形態に係る便器の脱臭装置の概略を示す要部断面説明図である。
【符号の説明】
【００４０】
１０，１０ａ    便器の脱臭装置
１２    便器本体
１４    排気管
１６    吸引駆動装置
１８    選択流通弁装置
２０    水タンク
２８    洗浄用孔
３０    通水路
３２    弁機構
５８    弁箱
６０    浮力遊動弁体
６６    空気流路
６８、６９    永久磁石
７０    遊動防止装置
７２    オーバフロー管
７４    フラッシュバルブ
７６    洗浄水供給管
７８    通水管
【図１】
0003129164.tif 000003
【図２】
0003129164.tif 000004
【図３】
0003129164.tif 000005
【図４】
0003129164.tif 000006
【図５】
0003129164.tif 000007
【図６】
0003129164.tif 000008
【図７】
0003129164.tif 000009